(57)【要約】【課題】中空筒状の化粧板の開孔端部にキャップを確実且つ強固に固定できるようにすることを課題とする【解決手段】化粧板１の筒状の開口端部１４を閉鎖する蓋部２１の一面に、化粧板１端部の外側面に接合する固定片部２２と、化粧板１端部の内側面に嵌まる筒部２３を設け、固定片部２２に固着具が挿通する孔部２６を設け、筒部２３の元端部には、化粧板１の開口面内１４ａに突き出た端部突片１５、１６が差し入れられるスリット２４を設けるとともに、スリット２４に隣接させて蓋部２１の面内に細孔２５を設けてなる端部キャップ２とした。【選択図】図１
2005307546.tif 000002
【特許請求の範囲】
【請求項１】
化粧板の筒状の開口端部を閉鎖する蓋部の一面に、前記化粧板端部の外側面に接合する固定片部と、前記化粧板端部の内側面に嵌まる筒部を設け、
前記固定片部に固着具が挿通する孔部を設け、
前記筒部の元端部には、化粧板の開口面内に突き出た端部突片が差し入れられるスリットを設けるとともに、当該スリットに隣接させて蓋部の面内に細孔を設けてなる端部キャップ。
【請求項２】
請求項１に記載の端部キャップを化粧板の筒状の開口端部に装着し、前記固定片部に設けた孔部に固着具を挿通して固定片部を前記化粧板端部の外側面に固定し、前記筒部の元端部に設けたスリットに化粧板の開口面内に突き出た端部突片を差し入れるとともに、細孔から通した棒体で端部突片の先端部を折曲して当該端部を固定した端部キャップの固定構造。
【発明の詳細な説明】
【技術分野】
【０００１】
本発明は、筒状に形成された建築用の化粧板、特に屋根の端に取り付けられる破風板状化粧板の開口端部を閉鎖する端部キャップとその固定構造に関する。
【背景技術】
【０００２】
化粧板の端部開口を閉鎖するために取り付けられる従来のキャップとして、例えば、外装材本体の端面に中空孔を設け、エンドキャップに係止部を備え、係止部を中空孔に挿通して中空孔の周面に係止させ、外装材本体の端面にエンドキャップを取り付けたものがある（例えば特許文献１参照）。
【０００３】
【特許文献１】特開平７−２７９３９１号公報
【発明の開示】
【発明が解決しようとする課題】
【０００４】
家屋の切妻屋根廻りの造作において、妻側の側端部を装飾するため、屋根の端に沿って、鋼板を破風板状に折り曲げてなる化粧板を取り付けることがある。この化粧板を端部にキャップを取り付けて構成する場合、化粧板は中空筒状に形成されているため、端面内にキャップが係止する中空孔を必要とする前記従来のエンドキャップを適用することはできない。仮に中空孔を設けたとしても、係止部が弾発的に係合するようになっているので係止力は弱く、風雨に曝された場合には強風により外れてしまうおそれがある。
破風板状の化粧板の取り付け位置は、強風を受ける屋根の端であり、化粧板の端部にキャップを取り付けた場合に、強風を受けても外れることなく化粧板の開口端部にキャップがしっかりと密着し且つ隙間を生じさせることなく固定しておく必要がある。
【０００５】
本発明は従来技術の有するこのような問題点に鑑み、中空筒状の化粧板の開口端部にキャップを確実且つ強固に固定できるようにすることを課題とする。
【課題を解決するための手段】
【０００６】
本発明は、化粧板の筒状の開口端部を閉鎖する蓋部の一面に、前記化粧板端部の外側面に接合する固定片部と、前記化粧板端部の内側面に嵌まる筒部を設け、前記固定片部に固着具が挿通する孔部を設け、前記筒部の元端部には、化粧板の開口面内に突き出た端部突片が差し入れられるスリットを設けるとともに、当該スリットに隣接させて蓋部の面内に細孔を設けてなる端部キャップとした。
上記端部キャップを化粧板の筒状の開口端部に装着し、前記固定片部に設けた孔部に固着具を挿通して固定片部を前記化粧板端部の外側面に固定し、前記筒部の元端部に設けたスリットに化粧板の開口面内に突き出た端部突片を差し入れるとともに、細孔から通した棒体で端部突片の先端部を折曲して当該端部を固定した端部キャップの固定構造とするのがよい。
【０００７】
本発明の端部キャップ及びその固定構造は、化粧板端部の内側面に筒部を嵌め入れ、筒部の元端部に設けたスリットに開口面内に突き出た端部突片を差し入れ、当該突片の先端部を折曲して固定するので外れることがない。また、開口面内に突き出た端部突片を差し入れて固定する構造としてあるので、外方から小ねじの頭などが見えることなく外観的に優れたものとなる。
【発明を実施するための最良の形態】
【０００８】
以下、本発明の端部キャップ及びその固定構造の一実施形態を説明する。
図１は本発明の端部キャップ及び化粧板の一例を示す斜視図、図２は図１の化粧板の分解斜視図、図３（Ａ）は図１の端部キャップの側面図、（Ｂ）は（Ａ）のスリット部分の拡大図、図４は図１の端部キャップの裏面図、図５（Ａ）〜（Ｃ）は図１の端部キャップの固定方法を示した図である。
図示した形態は、破風板状の化粧板の開口端部に、端部キャップを取り付ける場合の実施例であり、図中、符号１は化粧板、２は端部キャップである。
【０００９】
化粧板１は、長尺の鋼板を折り曲げ、表面１ａ側を形成する本体部１１と、裏面１ｂ側を形成する裏面部１２とを別体に形成し、これらを組み合わせて中空筒状の破風板状に形成してある。
【００１０】
より詳しくは、本体部１１は、長尺の板材を断面略矩形に折曲した形状であり、裏面１ｂ側には、中央付近を長手方向に沿い開口し、その開口の両端部を長手方向に沿い内方に垂直折曲した取付面１３、１３が形成してあり、裏面部１２を取り付けてある。取付面１３の面上には、取付孔１３ａが適宜位置に穿設してある。
本体部１１の開口端部１４側には、表面１ａ側の高さ方向中間付近から開口面内１４ａに突設した略矩形状の端部突片１５が形成してある。
【００１１】
裏面部１２は、長尺の板材を断面略コの字に折曲した形状である。裏面部１２の高さ方向の長さは、取付面１３の開口間隔と略同一とし、取付面１３の開口内に納まるようにしてある。
裏面部１２の長手方向の長さは、本体部１１の長手方向の長さよりも短く形成し、本体部１１の開口端部１４寄りに納まるようにしてある。
裏面部１２の開口端部１４側には、裏面部１２の高さ方向中間付近から開口面内１４ａに突設した略矩形状の端部突片１６が形成してあり、本体部１１と裏面部１２とを組み合わせた際、本体部１１の端部突片１５と対向するようにしてある。
【００１２】
裏面部１２の上方及び下方の折曲面１７には、連結孔１７ａが穿設してあり、小ねじなどの固着具を、取付面１３の取付孔１３ａとに挿通して、本体部１１と裏面部１２とを固定できるようにしてある。
化粧板１の外側面の上面１ｃ及び下面１ｄには、締結孔１８が適宜位置に穿設してある。
化粧板１の表面１ａには、長手方向に沿い若干深さ凹設した溝１９が形成してある。
【００１３】
端部キャップ２は、化粧板１の筒状の開口端部を閉鎖するものである。
端部キャップ２は、蓋部２１の一面に、化粧板１の端部の外側面に接合する固定片部２２と、端部の内側面に嵌まる筒部２３を設け、筒部２３の元端部には、スリット２４、２４を、蓋部２１には、スリット２４に隣接した位置に細孔２５、２５を設けてある。
【００１４】
より詳しくは、端部キャップ２は、筒状の化粧板１の開口端部１４を閉鎖する略矩形の蓋部２１を有している。蓋部２１の一面には、開口端部１４の内側周面に接合するように筒部２３が適宜長さ突設してあり、開口端部１４の内側面に嵌まるようにしてある。
蓋部２１の上部と下部には、化粧板１の外側面の上面１ｃ及び下面１ｄに接合する固定片部２２が設けてあり、蓋部２１の一面から筒部２３表面と化粧板１の厚み分の隙間を開けて突設してある。固定片部２２の面上には、小ねじなどの固着具が挿通する孔部２６が穿設してあり、孔部２６と締結孔１８に通した固着具により端部キャップ２を化粧板１に固定できるようになっている。
筒部２３の突出長さは、開口端部１４の内側面に嵌めた際、開口端部１４から落ちない長さとし、固定片部２２より突出した長さとしてある。筒部２３の短手方向両側面２３ａの元端部の長手方向中間部には、端部突片１５、１６を差し入れ可能なスリット２４が側面２３ａの蓋部２１寄りの位置に形成してある。また、筒部２３の側面２３ａには、化粧板１の内側内面の凸部が嵌まる凹部２７が形成してある。
【００１５】
蓋部２１の面内には、ドライバーなどの長尺の棒体を挿通可能な大きさを有する細孔２５が、スリット２４と隣接する位置に穿設してある。化粧板１の開口端部１４に端部キャップ２を嵌めた際、スリット２４に差し入れた端部突片１５、１６の先端部を、細孔２５に挿通した長尺の棒体を押し入れて折曲できるようになっている。
蓋部１１の面内の上方及び下方寄りには、略矩形の水抜き孔２８が開孔してある。
【００１６】
なお、本実施形態では、化粧板１の開口端部１４の高さ方向中間付近に端部突片１５、１６を対向するように突設してあるが、開口面内１４ａに突設してあればいずれの位置でもよい。また、二つの端部突片１５、１６としてあるが、三つ以上の端部突片１５、１６を設けてもよい。端部突片１５、１６の形状は、略矩形状に限定するものではなく、略三角形状、略半円形状などでもよい。
化粧板１の材質は、塩化ビニルなどを用いることができ、可撓性のあるものが好ましい。
【００１７】
以下、端部キャップ２を化粧板１に固定する方法を説明する。
図５（Ａ）に示すように、本体部１１の表面１ａ側を若干外方に撓ませ、本体部１１の開口端部１４の開口面内１４ａに端部キャップ２を挿入し、内側面に筒部２３が、外側面に固定片部２２が位置するように嵌め入れる。撓ませていた表面１ａを戻すことにより、本体部１１の端部突片１５をスリット２４に挿通させる。
次に、図５（Ｂ）に示すように、本体部１１の取付面１３と裏面部１２の折曲面１７とを面接させつつ、裏面部１２の端部突片１６をスリット２４に挿通させ、裏面部１２を取付面１３の開口内に納める。化粧板１の開口端部１４の反対側から、取付孔１３ａと連結孔１７ａとに小ねじなどの固着具を挿通し、本体部１１と裏面部１２とを固定する。端部キャップ２の孔部２６と本体部１１の締結孔１８とに小ねじ等の固着具を挿通して締結する。
図５（Ｃ）に示すように、細孔２５に長尺の棒体Ｘを挿通し、両端部突片１５、１６の先端部を折曲させて端部キャップ２を固定することができる。
本発明の端部キャップの固定構造は、長尺の棒体を細孔２５に挿通し、端部突片１５、１６の先端部を折曲すればよいので施工容易である。
【００１８】
本発明の端部キャップは、他の建築用の化粧板、例えば、窓枠やバルコニーの外装材の端部にも適用可能なものである。
【図面の簡単な説明】
【００１９】
【図１】本発明の端部キャップ及び化粧板の一例を示した斜視図。
【図２】図１の化粧板の開口端部付近の分解斜視図である。
【図３】（Ａ）は図１の端部キャップの側面図、（Ｂ）は（Ａ）のスリット部分の拡大図である。
【図４】図１の端部キャップの背面図である。
【図５】（Ａ）は図１の端部キャップを本体部に取り付ける方法を示した斜視図、（Ｂ）は図１の裏面部を取り付ける方法を示した背面図、（Ｃ）は図１の破風の突片を折曲する方法を示した横断面図である。
【符号の説明】
【００２０】
１  化粧板、１ａ  表面、１ｂ  裏面、１ｃ  上面、１ｄ  下面、１１  本体部、１２ 裏面部、１３  取付面、１３ａ  取付孔、１４  開口端部、１４ａ  開口面内、１５、１６  端部突片、１７  折曲面、１７ａ  連結孔、１８  締結孔、１９  溝、２  端部キャップ、２１  蓋部、２２  固定片部、２３  筒部、２３ａ  側面、２４  スリット、２５  細孔、２６  孔部、２７  凹部、２８  水抜き孔
【図１】
2005307546.tif 000003
【図２】
2005307546.tif 000004
【図３】
2005307546.tif 000005
【図４】
2005307546.tif 000006
【図５】
2005307546.tif 000007